【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  交番磁界の作用で電磁誘導発熱体を発熱させることにより定着処理を行う定着装置において、前記交番磁界の発生を制御するためのスイッチング制御部に、
第１のスイッチング素子と、
前記第１のスイッチング素子に並列に接続された第１の共振コンデンサと、
前記第１のスイッチング素子に並列に接続された第２のスイッチング素子と第２の共振コンデンサとの直列接続体と、
を備えたことを特徴とする定着装置。
【請求項２】  前記スイッチング制御部により制御される磁場発生手段に供給される電力を検出する電力検出手段を備え、該電力検出手段により検出された電力に応じて、前記第１のスイッチング素子をオンするに先立って前記第２のスイッチング素子をオンすることを特徴とする請求項１記載の定着装置。
【請求項３】  前記電力検出手段は、前記スイッチング制御部に供給される電流の電流値を検出することを特徴とする請求項２記載の定着装置。
【請求項４】  前記スイッチング制御部に発生するフライバック電圧を検出する電圧検出手段を備え、前記電圧検出手段により規定値以下のフライバック電圧が検出された場合に、前記第１のスイッチング素子をオンするに先立って前記第２のスイッチング素子をオンすることを特徴とする請求項１記載の定着装置。
【請求項５】  前記電圧検出手段は、前記第１のスイッチング素子に並列に接続されたツェナーダイオードを含むことを特徴とする請求項４記載の定着装置。
【請求項６】  交流電源ラインの電圧を検出する電圧検出手段を備え、該電圧検出手段により規定値以上の交流電源ラインの電圧が検出され、かつ温度制御がなされて前記第１のスイッチング素子のオン時間が規定値以下に短縮された場合に、前記第１のスイッチング素子をオンするに先立って前記第２のスイッチング素子をオンすることを特徴とする請求項１記載の定着装置。
【請求項７】  交流電力を整流した後の直流電圧を検出する電圧検出手段を備え、該電圧検出手段により規定値以上の直流電圧が検出され、かつ温度制御がなされて前記第１のスイッチング素子のオン時間が規定値以下に短縮された場合に、前記第１のスイッチング素子をオンするに先立って前記第２のスイッチング素子をオンすることを特徴とする請求項１記載の定着装置。
【請求項８】  前記電圧検出手段により規定値以上の直流電圧が検出された旨を、前記第１のスイッチング素子のオン時間幅を制御するオン時間幅制御部に報知するためのフォトカプラを備えたことを特徴とする請求項７記載の定着装置。
【請求項９】  交番磁界の作用で電磁誘導発熱体を発熱させることにより定着処理を行う定着方法において、
第１のスイッチング素子と、前記第１のスイッチング素子に並列に接続された第１の共振コンデンサと、前記第１のスイッチング素子に並列に接続された第２のスイッチング素子と第２の共振コンデンサとの直列接続体とを用いて、前記交番磁界の発生を制御するためのスイッチング制御部の動作を制御することを特徴とする定着方法。
【請求項１０】  前記スイッチング制御部により制御される磁場発生手段に供給される電力に応じて、前記第１のスイッチング素子をオンするに先立って前記第２のスイッチング素子をオンすることを特徴とする請求項９記載の定着方法。
【請求項１１】  前記スイッチング制御部に供給される電流の電流値に応じて前記第２のスイッチング素子を制御することにより、前記第１のスイッチング素子をオンするに先立って前記第２のスイッチング素子をオンすることを特徴とする請求項１０記載の定着方法。
【請求項１２】  前記スイッチング制御部に発生するフライバック電圧が規定値以下の場合に、前記第１のスイッチング素子をオンするに先立って前記第２のスイッチング素子をオンすることを特徴とする請求項９記載の定着方法。
【請求項１３】  前記フライバック電圧は、前記第１のスイッチング素子に並列に接続されたツェナーダイオードを用いて検出することを特徴とする請求項１２記載の定着方法。
【請求項１４】  交流電源ラインの電圧が規定値以上となり、かつ温度制御がなされて前記第１のスイッチング素子のオン時間が規定値以下に短縮された場合に、前記第１のスイッチング素子をオンするに先立って前記第２のスイッチング素子をオンすることを特徴とする請求項９記載の定着方法。
【請求項１５】  交流電力を整流した後の直流電圧が規定値以上となり、かつ温度制御がなされて前記第１のスイッチング素子のオン時間が規定値以下に短縮された場合に、前記第１のスイッチング素子をオンするに先立って前記第２のスイッチング素子をオンすることを特徴とする請求項９記載の定着方法。
【請求項１６】  交流電力を整流した後の直流電圧が規定値以上となった旨を、フォトカプラを用いて前記第１のスイッチング素子のオン時間幅を制御するオン時間幅制御部に報知することを特徴とする請求項１４記載の定着方法。
【請求項１７】  磁場を発生させるための励磁コイルと、
前記励磁コイルに直列に接続された第１のスイッチング素子と、
前記第１のスイッチング素子のスイッチング動作に応じて前記励磁コイルと共に共振する第１のコンデンサと、
前記第１のスイッチング素子のオン／オフ時における当該第１のスイッチング素子の両側の端子間の電位差を低減させるように制御する第２のスイッチング素子と、
を有することを特徴とする磁場発生回路。
【請求項１８】  前記第１のコンデンサは、前記励磁コイル又は第１のスイッチング素子と並列に接続されていることを特徴とする請求項１７に記載の磁場発生回路。
【請求項１９】  前記第２のスイッチング素子に直列に接続されて直列回路を構成する第２のコンデンサを有し、該直列回路は、前記励磁コイル又は第１のスイッチング素子と並列に接続されていることを特徴とする請求項１７又は１８に記載の磁場発生回路。
【請求項２０】  前記第１のスイッチング素子は、パルス幅変調によりそのスイッチング動作が制御されることを特徴とする請求項１７〜１９の何れかに記載の磁場発生回路。
【請求項２１】  請求項１７〜２０の何れかに記載の磁場発生回路を有し、前記励磁コイルにより発生された磁場に基づいて熱を発生させる発熱手段を有することを特徴とする発熱装置。
【請求項２２】  請求項２１に記載の発熱装置を有し、記録媒体上に形成された画像を熱により該記録媒体上に定着させることを特徴とする定着装置。
【請求項２３】  請求項２２に記載の定着装置を有することを特徴とする画像形成装置。
【手続補正２】
【補正対象書類名】明細書
【補正対象項目名】００４０
【補正方法】変更
【補正の内容】
【００４０】
また、本発明は、交流電力を整流した後の直流電圧が規定値以上となった旨を、フォトカプラを用いて前記第１のスイッチング素子のオン時間幅を制御するオン時間幅制御部に報知している。
また、本発明に係る磁場発生回路は、磁場を発生させるための励磁コイルと、前記励磁コイルに直列に接続された第１のスイッチング素子と、前記第１のスイッチング素子のスイッチング動作に応じて前記励磁コイルと共に共振する第１のコンデンサと、前記第１のスイッチング素子のオン／オフ時における当該第１のスイッチング素子の両側の端子間の電位差を低減させるように制御する第２のスイッチング素子とを有している。
また、本発明では、前記第１のコンデンサは、前記励磁コイル又は第１のスイッチング素子と並列に接続されている。
また、本発明は、前記第２のスイッチング素子に直列に接続されて直列回路を構成する第２のコンデンサを有し、該直列回路は、前記励磁コイル又は第１のスイッチング素子と並列に接続されている。
また、本発明では、前記第１のスイッチング素子は、パルス幅変調によりそのスイッチング動作が制御されるように構成されている。
また、本発明に係る発熱装置は、前記磁場発生回路を有し、前記励磁コイルにより発生された磁場に基づいて熱を発生させる発熱手段を有している。
また、本発明に係る定着装置は、前記発熱装置を有し、記録媒体上に形成された画像を熱により該記録媒体上に定着させるように構成されている。
また、本発明に係る画像形成装置は、前記定着装置を有している。